(57)【要約】      （修正有）【課題】写真等、特に折目を跨いで大きく印刷された写真等について、視認性の良い製本物が得られる、また、折目部の補強ができ製本物の強度が向上する。【解決手段】２頁分の大きさの二つ折りされた印刷物が隣り合う補強紙上に跨って貼着される製本物で、１頁分の大きさの厚紙２枚を背部を構成する一辺が段違い状態に貼合わせた補強紙を形成し、該補強紙を凸部と凹部を対向させ背貼り紙の２枚分の厚さの間隙をもって配置した２枚の補強紙上に、補強紙２頁分の大きさの印刷物を貼着し、補強紙間の間隙を介して印刷物の裏側及び補強紙の段部に背貼り紙を貼着したものであり、二つ折りした印刷物の折目を補強紙の端部より突出させない状態で、補強紙と印刷物とを交互に配置した状態で印刷物を補強紙に貼着して印刷物と補強紙の集合体を形成し、補強紙の端部と印刷物の突出部を覆うように背貼り紙を貼着し、見返し用紙を介して表表紙、裏表紙の貼着する製本方法。【選択図】  図２
2006212842.tif 000002
【特許請求の範囲】
【請求項１】
２頁分の大きさの二つ折りされた印刷物が隣り合う補強紙上に跨って貼着される製本物であって、１頁分の大きさの厚紙２枚を背部を構成する一辺が段違い状態に貼合わさった段部を有する補強紙が、凸部が印刷物の折り目と同高で凸部と凹部を対向させた状態で印刷物を貼着した貼着物を、製本仕上げした厚頁製本物。
【請求項２】
２頁分の大きさの二つ折りされた印刷物が隣り合う補強紙の間に跨がって貼着された製本物であって、１頁分の大きさの厚紙２枚を背部を構成する一辺が段違い状態に貼合わっさった段部を有する補強紙が、凸部が印刷物の折り目と同高で凸部と凹部を対向させた状態で印刷物を貼着し、該貼着物の背部に背貼り紙を貼着した貼着物を、製本仕上げした厚頁製本物。
【請求項３】
２頁分の大きさの印刷物を谷折りに二つ折りする工程、該印刷物の一方の面に接着剤を塗布した１頁分の大きさの厚紙を折り目と同高に接着し、他方の面に接着剤を塗布した１頁分の大きさの厚紙を折り目より厚紙１枚分以上引っ込めた状態で接着する工程、得られた部材の複数を一方の面と他方の面とを貼り合わせて印刷物と補強紙の集合体を形成する工程、該集合体を見返し用紙を介して表表紙、裏表紙の貼着する工程、の各工程からなることを特徴とする厚頁製本物の製本方法。
【発明の詳細な説明】
【技術分野】
【０００１】
本発明は、アルバム、写真集、絵本、その他の厚頁製本物に関し、特に、二つ折りされた印刷物が隣り合う補強紙に跨がって貼着された厚頁製本物および製本方法に関する。
なお、本発明における印刷物とは、通常の印刷物の外、写真、複写物、絵画、漫画等の紙葉状のメデアの全てを意味する。
【背景技術】
【０００２】
従来、一般的な厚紙製本物は、１頁分の大きさの多数枚のボール紙の両面に印刷を施したり、印刷物を貼着したりした後、それら多数枚のボール紙を背側を背貼り紙等を用いて接着し、得られた集合体を、表表紙、背表紙、裏表紙を有する表紙材に見返し用紙を介して貼着していた。しかしながら、このような従来に厚頁製本物にあっては、各頁毎に印刷物が独立に存在するため、見開き面で各々頁に連続する印刷物にあっては、各頁間に隙間が生じたり、また、印刷物を突き合わせて段違いを無くすのに手間が係っていた。
【０００３】
そこで、２頁分の大きさの印刷物、即ち見開き分の印刷物を印刷面を内側にする谷折りで二つ折りし、二つ折りされた印刷物が隣り合う１頁分の補強紙に跨って貼着して、各頁を構成した厚頁製本物が従来から開発されている。該従来例の厚頁製本物１を図５、図６に示す。ここで、図５は厚頁製本物１の斜視図、図６はその中央部分を取り出して示す拡大底面図である。これらの図において、２は表表紙、３は背表紙、４は裏表紙、６は印刷物、７は補強紙である。
印刷物６には各種写真等が印刷されており、大きさは補強紙７の２倍で、中央の折目９のところで印刷面を内側にした谷折りに二つ折りされていて、隣り合う補強紙に跨がって貼着されている。
【０００４】
この従来例の製本物１では、各印刷物６を開いたとき、図６に示すように、補強紙７の背部端縁１１同士がぶつかり合い、見開きの角度は完全に１８０°にはならず、各写真、特に折目９を跨いで大きく印刷された写真について、その視認性が良くないという問題があった。
そこで該見開きの角度をほぼ完全な１８０°にするために特許文献１では、折り目を見開き状態にした場合に隣合う台紙間に間隙が生じるように、折り目を突出させることが特許文献１に開示されており、各印刷物はそれを見開いたとき隣り合う台紙間に間隙が生じ、印刷物が閉じたときその印刷物の折目が各補強紙の後端よりも背表紙側に突出させてることにより、上記課題を解決している。
【０００５】
しかしながら、該特許文献では、見開きを１８０°以上とするためには、折り目を見開き状態の場合に隣合う台紙間に間隙が生じるように、折り目を突出させる必要があり、台紙が厚い場合にはその突出量が極めて多くなるという欠点を有しており、背貼り紙を貼着するにも困難であった。
そこで、二つ折りされた印刷物が隣り合う補強紙上に跨って貼着された製本物において、前記各印刷物はそれを見開いたとき隣り合う補強紙間に間隙が生じ、印刷物が閉じたときその印刷物の折目が各補強紙の後端よりも背表紙側に突出させて、上記課題を解決した。
【０００６】
【特許文献１】特開２００３−１２７５６６号公報
【発明の開示】
【発明が解決しようとする課題】
【０００７】
しかしながら、特許文献１では、見開きを１８０°以上とするためには、折り目を見開き状態にした場合に隣合う台紙間に間隙が生じるように、折り目を突出させる必要があり、台紙が厚い場合にはその突出量が大きくなり、背貼り紙を貼着する際には、台紙の縁は折り曲げられた印刷物の頂部間の谷部となるので背貼り紙の接着が不十分であったり、また、十分に接着させようと押圧力を強めると折り曲げた印刷物の頂部を変形させてしまうという虞がある。
本発明の目的は、上記従来の厚頁製本物の欠点を解消し、印刷物６の見開きの角度がほぼ完全な１８０°になり、写真等、特に見開き頁に跨がって大きく印刷された写真等について、良好な視認性が確保出来る製本物を得ることにある。
さらには、補強紙および印刷物に対する背貼り紙の貼り付けを確実にした製本物を得ることである。
【課題を解決するための手段】
【０００８】
上記課題を解決するために、本願の第１の発明は、２頁分の大きさの二つ折りされた印刷物が隣り合う補強紙上に跨って貼着される製本物であって、１頁分の大きさの厚紙２枚を背部を構成する一辺が段違い状態に貼合わさった段部を有する補強紙が、凸部が印刷物の折り目と同高で凸部と凹部を対向させた状態で印刷物を貼着した貼着物を、製本仕上げした厚頁製本物であることを特徴とし、本願の第２の発明は、２頁分の大きさの二つ折りされた印刷物が隣り合う補強紙の間に跨がって貼着された製本物であって、１頁分の大きさの厚紙２枚を背部を構成する一辺が段違い状態に貼合わっさった段部を有する補強紙が、凸部が印刷物の折り目と同高で凸部と凹部を対向させた状態で印刷物を貼着し、該貼着物の背部に背貼り紙を貼着した貼着物を、製本仕上げした厚頁製本物を特徴とし、本願の第３の発明は、２頁分の大きさの印刷物を谷折りに二つ折りする工程、該印刷物の一方の面に接着剤を塗布した１頁分の大きさの厚紙を折り目と同高に接着し、他方の面に接着剤を塗布した１頁分の大きさの厚紙を折り目より厚紙１枚分以上引っ込めた状態で接着する工程、得られた部材の複数を一方の面と他方の面とを貼り合わせて印刷物と補強紙の集合体を形成する工程、該集合体を見返し用紙を介して表表紙、裏表紙を貼着する工程、の各工程からなることを特徴とする厚頁製本物の製本方法、である。
【発明の効果】
【０００９】
本発明では補強紙の背部端縁に段部を設けているので、従来の厚頁製本物のように各頁を開いたとき補強紙の後端縁同士がぶつかり合うようなことは無く、印刷物の見開きの角度が完全に１８０°となり、それ故、写真等、特に折目を跨いで大きく印刷された写真等について、視認性の良い製本物が得られることは勿論のこと、補強紙に対して印刷物の二つ折り部が同高で突出しておらず、その結果、背貼り紙が貼り易くなり、背部の補強ができ厚頁製本物の強度が向上する。
【発明を実施するための最良の形態】
【００１０】
本発明は、２頁分の大きさの二つ折りされた印刷物が隣り合う補強紙上に跨って貼着される製本物であって、１頁分の大きさの厚紙２枚を背部を構成する一辺が段違い状態に貼合わさった段部を有する補強紙が、凸部が印刷物の折り目と同高で凸部と凹部を対向させた状態で印刷物を貼着した貼着物で、必要に応じて、貼着物の背部に背貼り紙を貼着した貼着物を、表表紙、背表紙、裏表紙を備えた表紙材に見返し用紙を介して貼着することにより製本物を形成する。
【実施例】
【００１１】
図１〜図４、図７、図８に基づいて本発明の一実施例を具体的に説明する。
図１は本発明の厚頁製本物１の見開いた状態の斜視図であり、図２は同製本物１の背側部分を取り出して示す拡大図である。これら図において、２は表表紙、３は背表紙、４は裏表紙、６は印刷物、７は補強紙、８は背貼り紙である。
補強紙７は２枚の厚紙の背側を構成する背部辺のみを段違いに貼り合わせて段部１０を形成してなり、印刷物６には各種の印刷が施されており、印刷物６の大きさは２頁分、即ち補強紙７の２倍の大きさであり、中央の折目９のところで印刷面を内側にした谷折りに二つ折りされていて、背部の段違い辺が凸部と凹部を対向させた状態で、２枚の補強紙７に跨がって貼着されている。また８は背貼り紙であり、各印刷物６の折目９の裏側部及び各補強紙７の背部端縁１１を覆うように貼着されている。
なお、段部１０の幅は、厚紙１枚分の厚さ以上であれば、見開き状態にした場合に、対抗する凸部と凹部が突き合わされるこがなく、ほぼ完全に見開きする。
またここで、印刷物とは、一般の印刷物に限らず、写真、複写物、絵画、漫画等の紙葉状のメディアの全てを意味する。
【００１２】
図３は背部辺の綴じ部の拡大図であり、（ａ）は閉じた状態、（ｂ）は一部を見開いた状態を示し、図４は背貼り紙を貼着した綴じ部の拡大図であり、（ａ）は閉じた状態、（ｂ）は一部を見開いた状態を示す。
図３（ａ）に示すように、二つ折りした印刷物６の折目９を補強紙７の端部と同高に合わせた状態で、補強紙７と印刷物６とを交互に配置した状態で印刷物６を補強紙７に貼着して、印刷物６と補強紙７の集合体を形成する。
その際、図３（ｂ）の見開き頁に示す如く、補強紙の背部の段違い辺が凸部と凹部を対向させた状態で、しかも突き合わされないで配列した２枚の補強紙７に跨がって貼着されている。
【００１３】
その後直ちに、集合体の外側面に、見返し用紙を介して表、背、裏の各部を有する表紙を貼着して製本してもよいが、図４に示すように背貼り紙８を設けた後製本することができる。背貼り紙８を設けると、見返し用紙を介して表紙に貼着する場合に、表紙と集合体との貼着に際し、背貼り紙８が補強紙としての機能を発揮し、強固に貼着することが可能となり、好ましい。
また、２枚の補強紙の配列は、段部１０の凸部と凹部が対向するように配列してあるから、見開き状態で凸部と凹部が噛み合い、背部端部が突き合わされることがなく、ほぼ完全に１８０°見開きすることが可能となり、これにより、見開き頁を開いても、この厚頁製本物１の背部端縁１１は、従来の製本物１の後端縁１１のようにぶつかり合うことはなく、見開きの角度は１８０°になり、印刷物８、特に折目９を跨いで大きく連続して印刷された印刷物について、良好な視認性を得ることができる。
【００１４】
次に、本発明の厚頁製本物の製造方法について図７、８を用いて説明する。
先ず、見開き頁に相当する  ２頁分の大きさの印刷物を準備し、該印刷物を印刷面を内側にして谷折りに二つ折りにして２つ折り印刷物６を得る（２つ折り工程）。
次いで、該印刷物の一方の面に接着剤を塗布した１頁分の大きさの厚紙７’を折り目と同高に接着し、他方の面に接着剤を塗布した１頁分の大きさの厚紙７”を折り目より厚紙１枚分以上引っ込めた状態で接着する（補強紙接着工程）。ここで、一方の面に貼着する厚紙７’は印刷物の折り目９と同高、即ち同じ高さに貼着する。従って、印刷物６の折り目９は、補強紙７から突出することはなく、全く同じ高さである。また、補強紙７’、７”に接着剤を塗布するのは、仮に糊付けを失敗して不良品（当業界では「ヤレ」という。）を生じた場合、ヤレは廃棄しなくてはならないが、補強紙に糊付けすればヤレが発生した場合には、補強紙を廃棄することができ、高価な印刷物を廃棄する必要がないとの顕著な効果を奏するものである。
【００１５】
次いで得られた部材の複数を一方の面と他方の面とを貼り合わせて印刷物と補強紙の集合体を形成する（集合体形成工程）。ここで、得られた部材の複数とは、目的とする厚頁製本物の必要頁数に相当する数であり、また一方の面７’と他の部材の他方の面とを貼着するのであるから、補強紙７は７’と７”との貼着物となり、背部端縁に段１０を有する補強紙となる。そして該集合体の上下には、見返し用紙を貼着する。その際、必要に応じて、背貼り紙８を集合体の背部に貼着することが、集合体と表紙部との貼着が強固となるので好ましい。
得られた集合体を見返し用紙を介して表表紙、裏表紙の貼着する（仕上げ工程）。即ち、表表紙、背表紙、裏表紙から構成される表紙材の表表紙裏面、及び裏表紙裏面に、集合体の見返し用紙を貼着して、厚紙製本物を得る。その際、背貼り紙８を集合体の背部に貼着していると、集合体と表紙部との貼着が強固となることは前述の通りである。
【図面の簡単な説明】
【００１６】
【図１】本発明の製本物の斜視図である。
【図２】本発明の製本物の要部の拡大断面図である。
【図３】背部である綴じ部の拡大図であり、（ａ）は閉じた状態、（ｂ）は一部を見開いた状態を示す。
【図４】背貼り紙を貼着した綴じ部の拡大図であり、（ａ）は閉じた状態、（ｂ）は一部を見開いた状態を示す。
【図５】従来の製本物の斜視図である。
【図６】従来の製本物の要部の拡大断面図である。
【図７】本発明の製本物の製造方法の印刷物と補強紙との部材を示す図である。
【図８】部材を貼着して集合体を製造する工程を示す図である。
【符号の説明】
【００１７】
１  厚頁製本物
２  表表紙
３  背表紙
４  裏表紙
６  印刷物
７  補強紙
７’一方の補強紙
７”他方の補強紙
８  背貼り紙
９  折目
１０  段部
１１  背部端縁
【図１】
2006212842.tif 000003
【図２】
2006212842.tif 000004
【図３】
2006212842.tif 000005
【図４】
2006212842.tif 000006
【図５】
2006212842.tif 000007
【図６】
2006212842.tif 000008
【図７】
2006212842.tif 000009
【図８】
2006212842.tif 000010